(57)【要約】【課題】消費電力を抑えながら照明器具の直下における照度を高めることができる照明器具を提供する。【解決手段】照明器具２は、発光モジュール１２と、発光モジュール１２からの光を集光させる集光用導光板１４と、集光用導光板１４を囲むように配置され、発光モジュール１２からの光を拡散させる拡散用導光板１６とを備える。【選択図】図４
2019102384.tif 000002
【特許請求の範囲】
【請求項１】
発光部と、
前記発光部からの光を集光させる集光部と、
前記集光部を囲むように配置され、前記発光部からの光を拡散させる拡散用導光板と、を備える
照明器具。
【請求項２】
前記集光部は、集光用導光板である
請求項１に記載の照明器具。
【請求項３】
前記集光用導光板は、
前記発光部からの光が入射する第１の入射部と、
平面視で開口部を有するリング状に形成され、前記第１の入射部に入射した光を出射する主面を有する第１の出射部と、を有し、
前記開口部の内周面は、前記第１の出射部の前記主面とは反対側の面から前記主面に向けて拡径するテーパ状に形成されている
請求項２に記載の照明器具。
【請求項４】
前記集光部は、集光レンズである
請求項１に記載の照明器具。
【請求項５】
前記拡散用導光板は、
一端部から他端部に向けてラッパ状に広がり、光を前記一端部から前記他端部に向けて導く湾曲部と、
前記湾曲部の前記一端部に形成され、前記発光部からの光が入射する第２の入射部と、
前記湾曲部の前記他端部から径方向外側に延びて平面視でリング状に形成され、前記湾曲部からの光が出射する第２の出射部と、を有する
請求項１〜４のいずれか１項に記載の照明器具。
【請求項６】
前記集光部からの光の一部と前記拡散用導光板からの光の一部とは、重なり合っている
請求項１〜５のいずれか１項に記載の照明器具。
【請求項７】
前記発光部は、
複数の第１の発光素子と、
前記複数の第１の発光素子を囲むように配置された複数の第２の発光素子と、を有し、
前記集光部は、前記複数の第１の発光素子からの光を集光させ、
前記拡散用導光板は、前記複数の第２の発光素子からの光を拡散させる
請求項１〜６のいずれか１項に記載の照明器具。
【請求項８】
前記照明器具は、さらに、前記複数の第１の発光素子及び前記複数の第２の発光素子の点灯を制御する制御部を備え、
前記制御部は、前記複数の第１の発光素子のみを点灯させる第１の点灯モード、前記複数の第２の発光素子のみを点灯させる第２の点灯モード、及び、前記複数の第１の発光素子及び前記複数の第２の発光素子をともに点灯させる第３の点灯モードのうちいずれかに切り替える
請求項７に記載の照明器具。
【請求項９】
前記制御部は、さらに、前記複数の第１の発光素子及び前記複数の第２の発光素子の少なくとも一方の調光を制御する
請求項８に記載の照明器具。
【発明の詳細な説明】
【技術分野】
【０００１】
本発明は、室内等を照明するための照明器具に関する。
【背景技術】
【０００２】
室内を照明するための照明器具の一つとして、シーリングライトが知られている（例えば、特許文献１参照）。シーリングライトは、室内の天井に取り付けられる器具本体と、器具本体に支持された発光モジュールと、発光モジュールを覆うように器具本体に取り付けられた拡散カバーとを有している。発光モジュールは、基板と、基板に実装された複数のＬＥＤ（Ｌｉｇｈｔ  Ｅｍｉｔｔｉｎｇ  Ｄｉｏｄｅ）とを有している。
【先行技術文献】
【特許文献】
【０００３】
【特許文献１】特開２０１３−４８１６７号公報
【発明の概要】
【発明が解決しようとする課題】
【０００４】
ユーザがシーリングライトの直下で手作業等を行う場合には、シーリングライトの直下における照度をより高めたいという要望がある。しかしながら、上述した従来のシーリングライトでは、発光モジュールからの光は拡散カバーにより拡散されるため、シーリングライトの直下における照度を高めるためには、発光モジュールの光束を増大させなければならず、その分だけ発光モジュールの消費電力が増大するという課題が生じる。
【０００５】
本発明は、このような課題に鑑みてなされたものであり、消費電力を抑えながら照明器具の直下における照度を高めることができる照明器具を提供することを目的とする。
【課題を解決するための手段】
【０００６】
上記課題を解決するために、本発明の一態様に係る照明器具は、発光部と、前記発光部からの光を集光させる集光部と、前記集光部を囲むように配置され、前記発光部からの光を拡散させる拡散用導光板と、を備える。
【発明の効果】
【０００７】
本発明の一態様に係る照明器具によれば、消費電力を抑えながら、照明器具の直下における照度を高めることができる。
【図面の簡単な説明】
【０００８】
【図１】実施の形態１に係る照明器具の外観を示す斜視図である。
【図２】実施の形態１に係る照明器具を分解して示す分解斜視図である。
【図３】図１のＩＩＩ−ＩＩＩ線による、実施の形態１に係る照明器具の断面図である。
【図４】図３の一部を拡大して示す、実施の形態１に係る照明器具の断面図である。
【図５】実施の形態１に係る回路ユニット及び発光モジュールを示す図である。
【図６】回路カバーを省略した状態での、実施の形態１に係る回路ユニット及び発光モジュールを示す図である。
【図７】実施の形態１に係る集光用導光板の異型プリズムを模式的に拡大して示す断面図である。
【図８】実施の形態１に係る拡散用導光板の低角プリズムを模式的に拡大して示す断面図である。
【図９】実施の形態１に係る照明器具による照明方法を説明するための図である。
【図１０】実施の形態２に係る照明器具の一部を拡大して示す断面図である。
【発明を実施するための形態】
【０００９】
以下、本発明の実施の形態について説明する。なお、以下に説明する実施の形態は、いずれも本発明の好ましい一具体例を示すものである。したがって、以下の実施の形態で示される、数値、形状、材料、構成要素、及び、構成要素の配置位置や接続形態などは、一例であって本発明を限定する主旨ではない。よって、以下の実施の形態における構成要素のうち、本発明の最上位概念を示す独立請求項に記載されていない構成要素については、任意の構成要素として説明される。
【００１０】
また、各図は模式図であり、必ずしも厳密に図示されたものではない。なお、各図において、実質的に同一の構成に対しては同一の符号を付しており、重複する説明は省略又は簡略化する。
【００１１】
（実施の形態１）
以下、実施の形態１に係る照明器具について説明する。
【００１２】
［１−１．照明器具の全体構成］
図１〜図３を参照しながら、実施の形態１に係る照明器具２の全体構成について説明する。図１は、実施の形態１に係る照明器具２の外観を示す斜視図である。図２は、実施の形態１に係る照明器具２を分解して示す分解斜視図である。図３は、図１のＩＩＩ−ＩＩＩ線による、実施の形態１に係る照明器具２の断面図である。
【００１３】
照明器具２は、例えば室内を照明するためのシーリングライトであり、室内の天井４（図２参照）に設置される。図１〜図３に示すように、照明器具２は、器具本体６と、器具取付部材８と、回路ユニット１０（制御部の一例）と、発光モジュール１２（発光部の一例）と、集光用導光板１４（集光部の一例）と、拡散用導光板１６と、透光カバー１８とを備えている。
【００１４】
以下、照明器具２の各構成要素について詳細に説明する。なお、以下に示す各図において、Ｚ軸のマイナス側が天井４側、Ｚ軸のプラス側が床面（図示せず）側を表している。また、説明の都合上、図１〜図４、図７及び図８では、照明器具２を通常の使用時の姿勢とは上下逆の姿勢で図示している。
【００１５】
［１−２．器具本体］
まず、図１〜図４を参照しながら、器具本体６について説明する。図４は、図３の一部を拡大して示す、実施の形態１に係る照明器具２の断面図である。
【００１６】
器具本体６は、回路ユニット１０及び発光モジュール１２等を支持するための筐体である。図１〜図４に示すように、器具本体６は、フレーム２０と、化粧カバー２２とを有している。
【００１７】
フレーム２０は、ＸＹ平面視で、中央部に円形状の開口部２４を有するリング状に形成されている。フレーム２０の開口部２４の径中心は、照明器具２の中心軸２６上に位置している。なお、中心軸２６は、Ｚ軸に平行な直線である。フレーム２０の外周部には、化粧カバー２２を支持するためのテーパ状の支持部２８が形成されている。フレーム２０は、例えばアルミニウム板又は鋼板等の板金をプレス加工することによって上述した形状に成形される。
【００１８】
フレーム２０の開口部２４の周縁部には、器具本体６を器具取付部材８（図２参照）に装着するためのホルダ３０が固定されている。ホルダ３０は、フレーム２０の開口部２４の周縁部から床面側に延びている。ホルダ３０の内部には、器具取付部材８が着脱自在に嵌合される。
【００１９】
さらに、フレーム２０の一方側の面（床面側の面）には、絶縁ケース３２が取り付けられている。絶縁ケース３２は、筒状に形成され、ホルダ３０の周囲を囲むように配置されている。絶縁ケース３２は、例えば樹脂等の絶縁性材料で形成されている。
【００２０】
化粧カバー２２は、一端部（床面側の端部）から他端部（天井４側の端部）に向けてラッパ状に広がる形状に形成されている。化粧カバー２２は、フレーム２０を側方から覆うように配置され、フレーム２０の支持部２８に支持されている。なお、化粧カバー２２は、例えばポリスチレン樹脂等で形成されている。
【００２１】
［１−３．器具取付部材］
次に、図２を参照しながら、器具取付部材８について説明する。器具取付部材８は、室内の天井４に設置された引っ掛けシーリングボディ３４に器具本体６を着脱自在に取り付けるためのアダプタである。
【００２２】
図２に示すように、器具取付部材８は、器具本体６のホルダ３０の内部に着脱自在に嵌合される。また、器具取付部材８は、引っ掛けシーリングボディ３４に着脱自在に取り付けられる。
【００２３】
照明器具２を室内の天井４に設置する際には、ユーザは、まず、器具取付部材８を引っ掛けシーリングボディ３４に取り付ける。その後、ユーザは、器具取付部材８が器具本体６のホルダ３０の内部に挿入されるようにして、器具本体６を天井４側に押し上げることにより、ホルダ３０と器具取付部材８とを嵌合させる。これにより、器具本体６が器具取付部材８及び引っ掛けシーリングボディ３４を介して室内の天井４に取り付けられ、照明器具２が室内の天井４に設置される。
【００２４】
なお、引っ掛けシーリングボディ３４は、室内の天井４の裏側に配置された商用電源（図示せず）に電線（図示せず）を介して電気的に接続されている。照明器具２が室内の天井４に設置されることにより、商用電源からの交流電力が電線及び引っ掛けシーリングボディ３４を介して照明器具２に供給される。
【００２５】
［１−４．回路ユニット］
次に、図３〜図６を参照しながら、回路ユニット１０について説明する。図５は、実施の形態１に係る回路ユニット１０及び発光モジュール１２を示す図である。図６は、回路カバー４０を省略した状態での、実施の形態１に係る回路ユニット１０及び発光モジュール１２を示す図である。
【００２６】
回路ユニット１０は、発光モジュール１２を点灯させるための電力を生成し、且つ、発光モジュール１２の点灯及び調光を制御するためのユニットである。図３、図４及び図６に示すように、回路ユニット１０は、基板３６と、基板３６に実装された複数の回路部品３８とを有している。
【００２７】
基板３６は、複数の回路部品３８を実装するためのプリント配線基板であり、リング状に形成されている。図３及び図４に示すように、基板３６は、器具本体６のフレーム２０の開口部２４の周囲を囲むようにして、フレーム２０の一方側の面にネジ（図示せず）で取り付けられている。なお、基板３６としては、例えば、樹脂基板、メタルベース基板、セラミック基板又はガラス基板等を用いることができる。また、基板３６は、リジッド基板に限定されず、フレキシブル基板であってもよい。
【００２８】
複数の回路部品３８は、基板３６の実装面（床面側の面及び天井４側の面）に実装されている。複数の回路部品３８は、電源用回路部品と、制御用回路部品とを含んでいる。電源用回路部品は、発光モジュール１２を点灯させるための電力を生成するための電源回路を構成する。電源回路は、上述した商用電源から電線を介して供給されてきた交流電力を直流電力に変換し、当該直流電力を発光モジュール１２に供給する。電源回路で生成された直流電力が発光モジュール１２に供給されることにより、発光モジュール１２が点灯する。また、制御用回路部品は、発光モジュール１２の点灯及び調光を制御するための制御回路を構成する。
【００２９】
なお、複数の回路部品３８は、例えば、ａ）電解コンデンサ又はセラミックコンデンサ等の容量素子、ｂ）抵抗器等の抵抗素子、ｃ）整流回路素子、ｄ）コイル素子、ｅ）チョークコイル（チョークトランス）、ｆ）ノイズフィルタ、ｇ）ダイオード又は集積回路素子等の半導体素子等を含んでいる。
【００３０】
また、図３及び図５に示すように、基板３６の実装面（床面側の面）は、ＸＹ平面視でリング状の回路カバー４０により覆われている。回路カバー４０は、複数の回路部品３８を保護するためのカバーである。回路カバー４０は、発光モジュール１２の基板４２（後述する）にネジ（図示せず）で取り付けられている。回路カバー４０は、複数の回路部品３８が透光カバー１８を介してユーザの目に映らないようにするため、遮光性を有する金属材料、例えば、アルミニウム等で形成されている。
【００３１】
［１−５．発光モジュール］
次に、図２〜図６を参照しながら、発光モジュール１２について説明する。
【００３２】
発光モジュール１２は、例えば白色光を発するための光源である。図２〜図６に示すように、発光モジュール１２は、基板４２と、基板４２に実装された複数の第１の発光素子４４及び複数の第２の発光素子４６とを有している。
【００３３】
基板４２は、複数の第１の発光素子４４及び複数の第２の発光素子４６を実装するためのプリント配線基板であり、リング状に形成されている。基板４２は、回路ユニット１０の基板３６の周囲を囲むようにして、器具本体６のフレーム２０の一方側の面にネジ（図示せず）で取り付けられている。なお、基板４２としては、例えば、樹脂基板、メタルベース基板、セラミック基板又はガラス基板等を用いることができる。また、基板４２は、リジッド基板に限定されず、フレキシブル基板であってもよい。
【００３４】
複数の第１の発光素子４４は、基板４２の実装面（床面側の面）の内周部側に実装されている。具体的には、複数の第１の発光素子４４は、基板４２の実装面の内周部側において、基板４２の周方向に間隔を置いてリング状に配置されている。
【００３５】
複数の第２の発光素子４６は、基板４２の実装面の外周部側に実装されている。具体的には、複数の第２の発光素子４６は、基板４２の実装面の外周部側において、基板４２の周方向に間隔を置いてリング状に配置されている。すなわち、複数の第２の発光素子４６は、複数の第１の発光素子４４の周囲を囲むように配置されている。
【００３６】
第１の発光素子４４及び第２の発光素子４６の各々は、例えば、パッケージ化された表面実装（ＳＭＤ：Ｓｕｒｆａｃｅ  Ｍｏｕｎｔ  Ｄｅｖｉｃｅ）型の白色ＬＥＤ素子である。すなわち、第１の発光素子４４及び第２の発光素子４６の各々は、凹部を有する白色樹脂製のパッケージ（容器）と、パッケージの凹部の底面に一次実装されたＬＥＤチップと、パッケージの凹部内に封入された封止部材とを有している。ＬＥＤチップは、例えば青色光を発する青色ＬＥＤチップである。封止部材には、青色ＬＥＤチップからの青色光を励起光として蛍光発光するＹＡＧ（イットリウム・アルミニウム・ガーネット）等の黄色蛍光体が含有されている。
【００３７】
このように、第１の発光素子４４及び第２の発光素子４６の各々は、青色ＬＥＤチップと黄色蛍光体とによって構成されたＢ−Ｙタイプの白色ＬＥＤ素子である。具体的には、封止部材に含有される黄色蛍光体は、青色ＬＥＤチップからの青色光の一部を吸収することにより励起されて黄色光を放出する。この放出された黄色光と黄色蛍光体に吸収されなかった青色光とが混ざることにより、白色光が生成される。このようにして第１の発光素子４４及び第２の発光素子４６の各々から白色光が出射される。
【００３８】
なお、本実施の形態では、第１の発光素子４４及び第２の発光素子４６がともに白色光を発するようにしたが、互いに異なる色（波長）の光を発するようにしてもよい。例えば、第１の発光素子４４が白色光を発し、第２の発光素子４６が電球色光を発するようにしてもよい。
【００３９】
［１−６．集光用導光板］
次に、図２〜図４及び図７を参照しながら、集光用導光板１４について説明する。図７は、実施の形態１に係る集光用導光板１４の異型プリズム５６を模式的に拡大して示す断面図である。
【００４０】
集光用導光板１４は、複数の第１の発光素子４４からの光を集光させるための光学部材である。集光用導光板１４は、発光モジュール１２の基板４２を介して器具本体６のフレーム２０にネジ（図示せず）で取り付けられている。
【００４１】
図２〜図４に示すように、集光用導光板１４は、ＸＹ平面視で、円形状の開口部４８を有するリング状に形成されている。具体的には、集光用導光板１４は、湾曲部５０と、入射部５２（第１の入射部の一例）と、出射部５４（第１の出射部の一例）とを有している。なお、集光用導光板１４は、透光性を有する材料、例えば透明のアクリル樹脂等で形成されている。
【００４２】
湾曲部５０は、一端部（天井４側の端部）から他端部（床面側の端部）に向けて湾曲しながら縮径している。湾曲部５０の凹面側は回路ユニット１０に対向し、湾曲部５０の凸面側は透光カバー１８に対向している。湾曲部５０は、光を一端部から他端部に向けて導く。
【００４３】
入射部５２は、湾曲部５０の一端部に形成されている。図３及び図４に示すように、入射部５２は、複数の第１の発光素子４４に対向且つ近接する位置に配置されている。複数の第１の発光素子４４の各々からの光は、入射部５２に入射する。
【００４４】
出射部５４は、湾曲部５０の他端部の全周から集光用導光板１４の径方向内側に延び、ＸＹ平面視で円形状の開口部４８を有するリング状に形成されている。出射部５４は、照明器具２の中心軸２６に向けて張り出しており、略水平な姿勢（すなわち、天井４に対して略平行な姿勢）で配置されている。図７に示すように、出射部５４の主面５４ａ（床面側の面）は、光が出射する面である。出射部５４の主面５４ａとは反対側の裏面５４ｂ（天井４側の面）には、例えばドット加工により異型プリズム５６が形成されている。湾曲部５０から出射部５４に導かれた光は、異型プリズム５６で反射することにより、主面５４ａから照明器具２の直下の方向に集光されて出射する。なお、照明器具２の直下の方向とは、中心軸２６に対して略平行に天井４から床面に向かう方向である。
【００４５】
また、図７に示すように、出射部５４の開口部４８の内周面は、出射部５４の裏面５４ｂから主面５４ａに向けて拡径するテーパ状に形成されている。湾曲部５０から出射部５４に導かれた光の一部は、出射部５４の開口部４８の内周面から照明器具２の直下の方向に対して中心軸２６側に傾斜した方向に集光されて出射する。
【００４６】
以上のようにして、複数の第１の発光素子４４からの光は、集光用導光板１４により照明器具２の直下の方向に向けて集光される。
【００４７】
［１−７．拡散用導光板］
次に、図２〜図４及び図８を参照しながら、拡散用導光板１６について説明する。図８は、実施の形態１に係る拡散用導光板１６の低角プリズム６８を模式的に拡大して示す断面図である。
【００４８】
拡散用導光板１６は、複数の第２の発光素子４６からの光を拡散させるための光学部材である。拡散用導光板１６は、発光モジュール１２の基板４２を介して器具本体６のフレーム２０にネジ（図示せず）で取り付けられている。これにより、拡散用導光板１６は、集光用導光板１４の周囲を囲むように配置されている。また、図３及び図４に示すように、拡散用導光板１６は、化粧カバー２２の一端部と支持部材５８との間に挟持されている。なお、支持部材５８は、発光モジュール１２の基板４２を介して器具本体６のフレーム２０にネジ（図示せず）で取り付けられている。
【００４９】
図２〜図４に示すように、拡散用導光板１６は、ＸＹ平面視で円形状の開口部６０を有するリング状に形成されている。具体的には、拡散用導光板１６は、湾曲部６２と、入射部６４（第２の入射部の一例）と、出射部６６（第２の出射部の一例）とを有している。なお、拡散用導光板１６は、透光性を有する材料、例えば透明のアクリル樹脂等で形成されている。
【００５０】
湾曲部６２は、一端部（天井４側の端部）から他端部（床面側の端部）に向けてラッパ状に湾曲しながら拡径している。湾曲部６２の凹面側は化粧カバー２２の一端部に支持され、湾曲部６２の凸面側は支持部材５８に支持されている。湾曲部６２は、光を一端部から他端部に向けて導く。
【００５１】
入射部６４は、湾曲部６２の一端部の全周に亘ってリング状に形成されている。入射部６４は、複数の第２の発光素子４６に対向且つ近接する位置に配置されている。複数の第２の発光素子４６の各々からの光は、入射部６４に入射する。
【００５２】
出射部６６は、湾曲部６２の他端部の全周から拡散用導光板１６の径方向外側に延び、ＸＹ平面視でリング状に形成されている。出射部６６は、化粧カバー２２の一端部よりも拡散用導光板１６の径方向外側に張り出しており、略水平な姿勢で配置されている。図８に示すように、出射部６６の主面６６ａ（床面側の面）は、光が出射する面である。出射部６６の主面６６ａとは反対側の裏面６６ｂ（天井４側の面）には、例えばドット加工により低角プリズム６８が形成されている。湾曲部６２から出射部６６に導かれた光は、低角プリズム６８で反射することにより、出射部６６の主面６６ａから拡散されて出射する。また、湾曲部６２から出射部６６に導かれた光は、出射部６６の裏面６６ｂから拡散されて出射する。
【００５３】
また、図８に示すように、出射部６６の外周面７０は、出射部６６の主面６６ａから裏面６６ｂに向けて拡径するテーパ状に形成されている。湾曲部６２から出射部６６に導かれた光の一部は、出射部６６の外周面７０から拡散されて出射する。
【００５４】
以上のようにして、複数の第２の発光素子４６の各々からの光は、拡散用導光板１６により照明器具２の周囲に拡散される。
【００５５】
［１−８．透光カバー］
次に、図１〜図４及び図７を参照しながら、透光カバー１８について説明する。透光カバー１８は、集光用導光板１４の出射部５４の主面５４ａからの光を微拡散させるためのカバーである。
【００５６】
図１〜図４及び図７に示すように、透光カバー１８は、円板状に形成され、拡散用導光板１６の開口部６０を覆うように配置されている。透光カバー１８は、支持部材５８に着脱自在に取り付けられている。透光カバー１８は、透光性を有する材料（例えば乳白色のアクリル樹脂等）で形成されている。
【００５７】
［１−９．照明方法］
次に、図９を参照しながら、上述した照明器具２による照明方法について説明する。図９は、実施の形態１に係る照明器具２による照明方法を説明するための図である。
【００５８】
回路ユニット１０からの直流電力が発光モジュール１２に供給されることにより、複数の第１の発光素子４４及び複数の第２の発光素子４６の各々が発光する。
【００５９】
複数の第１の発光素子４４からの光は、集光用導光板１４により照明器具２の直下の方向に向けて集光された後に、透光カバー１８に入射する。図９に示すように、透光カバー１８からの光は、微拡散されて室内に照射される。これにより、照明器具２の直下における室内の照度を高めることができる。このとき、透光カバー１８から出射する光（すなわち、集光用導光板１４から出射する光）が中心軸２６に対して広がる広がり角θ１は、例えば６０°以下である。ここで、集光とは、中心軸２６に対して広がる広がり角θ１が６０°以下であることをいう。なお、集光用導光板１４の出射部５４の開口部４８の内周面から光が出射することにより、透光カバー１８のうち器具取付部材８の直下における領域に暗部が形成されるのを抑制することができる。
【００６０】
また、複数の第２の発光素子４６からの光は、拡散用導光板１６により拡散されて室内に照射される。これにより、室内を広範囲に照明することができる。このとき、拡散用導光板１６の出射部６６から出射する光が出射部６６の径方向の軸７２に対して広がる広がり角θ２は、例えば６０°よりも大きい。ここで、拡散とは、出射部６６の径方向の軸７２に対して広がる広がり角θ２が６０°よりも大きいことをいう。
【００６１】
なお、図９において斜線を施した領域では、拡散用導光板１６の出射部６６から出射した光の一部と、透光カバー１８から出射した光の一部（すなわち、集光用導光板１４の出射部５４から出射した光の一部）とが重なり合っている。これにより、拡散用導光板１６の出射部６６から出射した光による照明領域と、透光カバー１８から出射した光による照明領域との間に明暗差が生じるのを抑制することができる。
【００６２】
また、例えばユーザがリモコン操作等を行うことにより、回路ユニット１０は、発光モジュール１２を点灯させるモードとして、第１の点灯モード、第２の点灯モード及び第３の点灯モードのうちいずれかに切り替える。第１の点灯モードは、複数の第１の発光素子のみを点灯させる点灯モードであり、例えばユーザが照明器具２の直下で手作業等を行う場合に適している。第２の点灯モードは、複数の第２の発光素子のみを点灯させる点灯モードであり、例えば室内を落ち着いた雰囲気にしたい場合に適している。第３の点灯モードは、複数の第１の発光素子及び複数の第２の発光素子をともに点灯させる点灯モードであり、例えば室内全体を明るくしたい場合に適している。
【００６３】
さらに、例えばユーザがリモコン操作等を行うことにより、回路ユニット１０は、発光モジュール１２の調光を制御する。第１の点灯モードでは、複数の第１の発光素子の調光が制御される。第２の点灯モードでは、複数の第２の発光素子の調光が制御される。また、第３の点灯モードでは、複数の第１の発光素子及び複数の第２の発光素子の各調光が制御される。これにより、室内の照度をユーザの好みの照度に調節することができる。
【００６４】
［１−１０．効果］
本実施の形態の照明器具２は、発光モジュール１２と、発光モジュール１２からの光を集光させる集光用導光板１４と、集光用導光板１４を囲むように配置され、発光モジュール１２からの光を拡散させる拡散用導光板１６とを備える。
【００６５】
これによれば、発光モジュール１２からの光を集光用導光板１４により集光させるので、発光モジュール１２の光束を小さく抑えた場合であっても、照明器具２の直下における室内等の照度を高めることができる。その結果、発光モジュール１２の消費電力を抑えながら、照明器具２の直下における照度を高めることができる。また、発光モジュール１２からの光を拡散用導光板１６により拡散させるので、室内等を広範囲に照明することができる。
【００６６】
さらに、集光部は、集光用導光板１４である。
【００６７】
これによれば、発光モジュール１２からの光を集光用導光板１４により集光させることができる。
【００６８】
さらに、集光用導光板１４は、発光モジュール１２からの光が入射する入射部５２と、平面視で開口部４８を有するリング状に形成され、入射部５２に入射した光を出射する主面５４ａを有する出射部５４とを有する。開口部４８の内周面は、出射部５４の主面５４ａとは反対側の裏面５４ｂから主面５４ａに向けて拡径するテーパ状に形成されている。
【００６９】
これによれば、照明器具２の中央部において暗部が形成されるのを抑制することができる。
【００７０】
さらに、拡散用導光板１６は、一端部から他端部に向けてラッパ状に広がり、光を一端部から他端部に向けて導く湾曲部６２と、湾曲部６２の一端部に形成され、発光モジュール１２からの光が入射する入射部６４と、湾曲部６２の他端部から径方向外側に延びて平面視でリング状に形成され、湾曲部６２からの光が出射する出射部６６とを有する。
【００７１】
これによれば、拡散用導光板１６は湾曲部６２を有しているので、拡散用導光板１６の径方向における大きさを小さく抑えることができる。
【００７２】
さらに、集光用導光板１４からの光の一部と拡散用導光板１６からの光の一部とは、重なり合っている。
【００７３】
これによれば、集光用導光板１４からの光による照明領域と拡散用導光板１６からの光による照明領域との間に明暗差が生じるのを抑制することができる。
【００７４】
さらに、発光モジュール１２は、複数の第１の発光素子４４と、複数の第１の発光素子４４を囲むように配置された複数の第２の発光素子４６とを有する。集光用導光板１４は、複数の第１の発光素子４４からの光を集光させる。拡散用導光板１６は、複数の第２の発光素子４６からの光を拡散させる。
【００７５】
これによれば、複数の第１の発光素子４４からの光を集光用導光板１４に入射させ、複数の第２の発光素子４６からの光を拡散用導光板１６に入射させることにより、複数の第１の発光素子４４及び複数の第２の発光素子４６からの光の利用効率を高めることができる。
【００７６】
さらに、照明器具２は、さらに、複数の第１の発光素子４４及び複数の第２の発光素子４６の点灯を制御する回路ユニット１０を備える。回路ユニット１０は、複数の第１の発光素子４４のみを点灯させる第１の点灯モード、複数の第２の発光素子４６のみを点灯させる第２の点灯モード、及び、複数の第１の発光素子４４及び複数の第２の発光素子４６をともに点灯させる第３の点灯モードのうちいずれかに切り替える。
【００７７】
これによれば、用途等に応じて、室内等の照明態様を容易に切り替えることができる。
【００７８】
さらに、回路ユニット１０は、さらに、複数の第１の発光素子４４及び複数の第２の発光素子４６の少なくとも一方の調光を制御する。
【００７９】
これによれば、用途等に応じて、室内等の照度を容易に調節することができる。
【００８０】
（実施の形態２）
［２−１．照明器具の構成］
次に、図１０を参照しながら、実施の形態２に係る照明器具２Ａの構成について説明する。図１０は、実施の形態２に係る照明器具２Ａの一部を拡大して示す断面図である。なお、本実施の形態では、上記実施の形態１の構成要素と同一の構成要素には同一の符号を付して、その説明を省略する。
【００８１】
図１０に示すように、実施の形態２に係る照明器具２Ａは、上記実施の形態１で説明した集光用導光板１４に代えて、多眼レンズ７４を備えている。多眼レンズ７４には、リング状に並んで配置された複数の集光レンズ７６（集光部の一例）が形成されている。複数の集光レンズ７６はそれぞれ、複数の第１の発光素子４４に対向且つ近接する位置に配置されている。なお、説明の都合上、図１０では、複数の集光レンズ７６のうち１つの集光レンズ７６のみを図示してある。
【００８２】
上記実施の形態１と同様に、複数の第１の発光素子４４からの光はそれぞれ、複数の集光レンズ７６により照明器具２Ａの直下の方向に向けて集光される。
【００８３】
［２−２．効果］
本実施の形態の照明器具２Ａでは、集光部は、集光レンズ７６である。
【００８４】
これによれば、発光モジュール１２からの光を集光レンズ７６により集光させることができる。
【００８５】
（変形例等）
以上、本発明について実施の形態１及び２に基づいて説明したが、本発明は、上記各実施の形態に限定されるものではない。
【００８６】
上記各実施の形態では、照明器具２（２Ａ）をシーリングライトとしたが、これに限定されず、例えばシャンデリア、ペンダントライト、ブラケットライト、バスルームライト又はキッチンライト等としてもよい。
【００８７】
また、上記各実施の形態では、第１の発光素子４４及び第２の発光素子４６の各実装構造をＳＭＤ構造としたが、これに限定されず、例えばＬＥＤチップを基板４２に直接実装したＣＯＢ（Ｃｈｉｐ  Ｏｎ  Ｂｏａｒｄ）構造であってもよい。この場合、封止部材によって、基板４２上に実装された複数のＬＥＤチップを一括に封止してもよく、あるいは、個別に封止してもよい。また、封止部材には、上述した黄色蛍光体等の波長変換材が含有されていてもよい。
【００８８】
また、上記各実施の形態では、第１の発光素子４４及び第２の発光素子４６としてＬＥＤを例示したが、これに限定されず、例えば半導体レーザ等の半導体発光素子、有機ＥＬ（Ｅｌｅｃｔｒｏ  Ｌｕｍｉｎｅｓｃｅｎｃｅ）又は無機ＥＬ等、その他の固体発光素子を用いてもよい。
【００８９】
また、照明器具２（２Ａ）は、例えばマイナスイオンを発生させるためのイオン発生部を備えていてもよい。イオン発生部は、例えば器具本体６の内部に配置されている。イオン発生部は、針状放電極と、針状放電極に高電圧（例えば、約６０００Ｖ）を印加する高電圧発生回路と、針状放電極を冷却するペルチェ素子とを有している。針状放電極は、ペルチェ素子のペルチェ効果によって冷却されることにより結露する。高電圧発生回路が針状放電極に結露した空気中の水分に高電圧を印加することにより、ナノメータサイズ（例えば、直径約５〜２０ｎｍ）の微粒子水で包まれたマイナスイオン（いわゆる、ナノイー（登録商標））を発生させる。イオン発生部により発生したマイナスイオンは、器具本体６の内部に配置された送風ファン等により器具本体６の外部に吹き出され、室内に拡散される。
【００９０】
なお、ナノイーは、マイナスイオン単独で存在する場合よりも空気中に長時間（マイナスイオンの約６倍の寿命で）存在することが可能であり、且つ、ナノメータサイズと非常に小さいため、室内全体に万遍無く拡散し且つ長時間浮遊することができる。ナノイーは、反応性が高く、且つ、臭い成分に作用して無臭成分に分解する能力を持つことが知られている。そのため、ナノイーが室内に拡散することにより、ａ）室内のカーテン又は浮遊塵埃等を脱臭する効果、ｂ）室内に浮遊又は付着しているアレルゲン、ウイルス等を不活化させる効果、ｃ）室内に浮遊又は付着しているカビ、細菌等を除菌する効果等が得られる。
【００９１】
また、照明器具２（２Ａ）は、室内に人が存在することを検出する人感センサと、照明器具２（２Ａ）の周囲の画像を撮像するためのカメラ機能を有する画像センサとを備えていてもよい。画像センサは、例えばＣＭＯＳ（Ｃｏｍｐｌｅｍｅｎｔａｒｙ  Ｍｅｔａｌ  Ｏｘｉｄｅ  Ｓｅｍｉｃｏｎｄｕｃｔｏｒ）イメージセンサである。この場合、人感センサで室内に人を検知した際に、防犯対策として画像センサにより撮像した画像をメモリ等に記憶しておくことができる。
【００９２】
また、照明器具２（２Ａ）は、有線又は無線によって照明器具２（２Ａ）が受信した音声を出力するスピーカを備えていてもよい。この場合、例えば発光モジュール１２の点灯に同期してスピーカから音声が出力されるように、スピーカが制御されてもよい。
【００９３】
その他、上記実施の形態に対して当業者が思い付く各種変形を施して得られる形態や、本発明の趣旨を逸脱しない範囲で各実施の形態における構成要素及び機能を任意に組み合わせることで実現される形態も本発明に含まれる。
【符号の説明】
【００９４】
２，２Ａ  照明器具
１０  回路ユニット（制御部）
１２  発光モジュール（発光部）
１４  集光用導光板（集光部）
１６  拡散用導光板
４４  第１の発光素子
４６  第２の発光素子
４８  開口部
５２  入射部（第１の入射部）
５４  出射部（第１の出射部）
５４ａ  主面
５４ｂ  裏面（面）
６２  湾曲部
６４  入射部（第２の入射部）
６６  出射部（第２の出射部）
７６  集光レンズ（集光部）
【図１】
2019102384.tif 000003
【図２】
2019102384.tif 000004
【図３】
2019102384.tif 000005
【図４】
2019102384.tif 000006
【図５】
2019102384.tif 000007
【図６】
2019102384.tif 000008
【図７】
2019102384.tif 000009
【図８】
2019102384.tif 000010
【図９】
2019102384.tif 000011
【図１０】
2019102384.tif 000012